(57)【要約】【課題】大きな墓とすることなく、夫妻がそれぞれの実家を供養でき、しかも、供養をする夫妻の心情にやさしく、第三者にも違和感がなく、供養のし易い墓を提供する。【解決手段】仕切６１を設けて左右二室の納骨室に区画することにより二世帯カロートを備えさせた四ツ石２０の上に配置される中台７０の正面には、納骨口７１が設けられる。この納骨口７１は、二室の納骨室のそれぞれに納骨が可能な幅広の開口として形成する。また、納骨口７１の上部に、中心部７２を残して左右の部分を奧に向かって３分しずめた平面部７３，７４を形成する。この平面部７３，７４は、当該墓を建立した夫妻のそれぞれの氏を彫刻するための部分である。四ツ石６０の正面の石の上には、香炉台８３、香炉８４が設置される。また、香炉台８３の左右には花立８４，８５が設置される。そして、四ツ石６０の上に、中台７０、上台８１及び竿石８２を設置して完成する。【選択図】  図１
0003119194.tif 000002
【実用新案登録請求の範囲】
【請求項１】
（１−１）  内部をカロートとする四ツ石を設置すると共に、この四ツ石の上に、中台、上台及び竿石を設置し、前記中台の正面に納骨口を形成すると共に、この納骨口を塞ぐ様に香炉台を設置し、さらに、以下の構成をも採用したことを特徴とする二世帯カロートを備えた墓石。
（１−２）  前記カロートの内部に仕切を設けて左右二室に区画したこと。
（１−３）  前記納骨口は、前記区画されたカロート内の二室のそれぞれに納骨が可能な幅広の開口として形成したこと。
（１−４）  前記納骨口の上部に、中心を残して左右の部分を奧に向かって所定深さ彫り込んだ平面部を形成したこと。
【考案の詳細な説明】
【技術分野】
【０００１】
本考案は、二世帯カロートを備えた墓石に関するものである。
【背景技術】
【０００２】
近年、少子化、核家族化等により、妻の実家に後継者がなくなるなど、墓の管理・供養が困難になるという問題がある。
【０００３】
こうした問題に対し、例えば、納骨室を２面背合わせとした形状でそれぞれ開閉口を設け、墓碑は１つとし、背合わせで２面それぞれ正面とする墓が提案されている（特許文献１）。
【０００４】
また、通常の墓より納骨室を広く取り、この納骨室の中に補強兼用の仕切り板を差込み、仕切り板にて隔離された各部屋の前面あるいは後面には開口部を設けて骨壺を収納する地上納骨室とし、この地上納骨室の下部には、古い遺骨を土に返して弔うための地下納骨室を配設し、地下納骨室の上面には開閉脱着自在の蓋板を配設すると共に、開放状態の地下納骨室の底部には玉砂利、砂等を敷き詰めた構造の家族墓も提案されている（特許文献２）。 
【特許文献１】特開２００１−６５２０４（特許請求の範囲、図１〜図３）
【特許文献２】実用新案登録第３０５７１７２号公報（要約、図１〜図５）
【考案の開示】
【考案が解決しようとする課題】
【０００５】
特許文献１の墓は、背合わせに正面を持った墓であるため、墓地における設置・管理・供養がやりにくく、また、二世帯によそよそしさがあることから、供養者の心情にも馴染みにくいという問題がある。
【０００６】
特許文献２の墓は、長く続いた家の先祖代々の遺骨を納めるための大きな墓である。このため、図４にある様に、先祖代々の墓碑の両脇に家族墓としての墓碑を建立するなどしており、夫妻が、それぞれの実家を供養する墓としては採用し難いという問題がある。
【０００７】
そこで、本考案は、大きな墓とすることなく、夫妻がそれぞれの実家を供養でき、しかも、供養をする夫妻の心情にやさしく、第三者にも違和感がなく、供養のし易い墓を提供することを目的とするものである。
【課題を解決するための手段】
【０００８】
上記目的を達成するためになされた本考案の二世帯カロートを備えた墓石は、以下の構成を有する。
（１−１）  内部をカロートとする四ツ石を設置すると共に、この四ツ石の上に、中台、上台及び竿石を設置し、前記中台の正面に納骨口を形成すると共に、この納骨口を塞ぐ様に香炉台を設置したこと。
（１−２）  前記カロートの内部に仕切を設けて左右二室に区画したこと。
（１−３）  前記納骨口は、前記区画されたカロート内の二室のそれぞれに納骨が可能な幅広の開口として形成したこと。
（１−４）  前記納骨口の上部に、中心を残して左右の部分を奧に向かって所定深さ彫り込んだ平面部を形成したこと。
【０００９】
この墓石によれば、カロート内を左右二室に区画し、そのいずれにも納骨できる様な幅広の納骨口を備え、しかも納骨口の上部に中心を残して左右の部分を奧に向かって所定深さ彫り込んだ平面部を形成したので、夫妻は、それぞれの世帯名をこの平面部に彫刻することができ、しかも、普段はこの納骨口の部分は香炉台で覆われているので、第三者が見たときに違和感もなく、夫妻それぞれが、お互いの実家をやさしく供養することができる。
【考案の効果】
【００１０】
本考案によれば、大きな墓とすることなく、夫妻がそれぞれの実家を供養でき、しかも、供養をする夫妻の心情にやさしく、第三者にも違和感がなく、供養のし易い墓を提供することができる。
【考案を実施するための最良の形態】
【００１１】
以下、本考案を具体化した実施形態を図面を参照しながら詳細に説明する。実施形態の二世帯カロートを備えた墓石２は、図１に示す様に、四ツ石６０を設置すると共に、この四ツ石６０の上に、中台７０、上台８１及び竿石８２を設置し、中台７０の正面に香炉台８３を設置したものである。
【００１２】
ここで、図２に示す様に、四ツ石６０の内部は、仕切６１を設けて左右二室の納骨室に区画することにより二世帯カロートを備えさせる。仕切６１には、貫通孔６３が形成されている。
【００１３】
内部を二世帯カロートとする四ツ石２０の上に配置される中台７０の正面には、図２に示す様に、納骨口７１が設けられる。この納骨口７１は、二室の納骨室のそれぞれに納骨が可能な幅広の開口として形成する。また、納骨口７１の上部に、中心部７２を残して左右の部分を奧に向かって３分しずめた平面部７３，７４を形成する。この平面部７３，７４は、当該墓を建立した夫妻のそれぞれの氏を彫刻するための部分である。
【００１４】
四ツ石６０の正面の石の上には、香炉台８３、香炉８４が設置される。また、香炉台８３の左右には花立８４，８５が設置される。
【００１５】
そして、本実施形態の墓石２は、四ツ石６０の上に、中台７０、上台８１及び竿石８２を設置して完成する。
【００１６】
実施形態の墓石２によれば、左右二室の納骨室を備えるカロートを備え、そのいずれに対しても納骨することができる幅広の納骨口７１を備え、納骨口７１の上部に左右に分かれた平面部７３，７４を彫り込んであるので、夫妻は、それぞれの氏をこの平面部７３，７４に彫刻することができ、しかも、普段はこの納骨口７１の前には香炉台８３が置かれているので、第三者が見たときに違和感もなく、夫妻それぞれが、お互いの実家をやさしく供養することができる。
【００１７】
また、仕切６１によって区画された納骨室の間が貫通孔６３によって連通しているので、仮に、将来、妻が夫側の納骨室に埋葬されたとしても、その反対側の納骨室に埋葬されている妻の両親ともつながりを絶たれることがなく、将来に対する安心感が得られる。よって、墓を建立した夫妻にとって、安心で気持ちのよいものとなる。
【００１８】
以上、考案を実施するための最良の形態としての一実施形態を説明したが、本考案は、これに限定されるものではなく、その要旨を逸脱しない範囲内における種々の変更が可能である。
【図面の簡単な説明】
【００１９】
【図１】実施形態のカロートと墓石の斜視図である。
【図２】実施形態の二世帯カロートを備えた墓石の分解斜視図である。
【符号の説明】
【００２０】
２・・・二世帯カロートを備えた墓石
６０・・・四ツ石
６１・・・仕切
６３・・・貫通孔
７０・・・中台
７１・・・納骨口
７２・・・中心部
７３，７４・・・平面部
８１・・・上台
８２・・・竿石
８３・・・香炉台
８４・・・香炉
８５，８６・・・花立
【図１】
0003119194.tif 000003
【図２】
0003119194.tif 000004